(57)【要約】【課題】着用者の排泄部との密着性を高め、体液を確実に吸収する。【解決手段】吸収性物品１は、表面シート１０の表面に、吸収性物品１の長手方向に沿って、第１屈曲部１０１、１０２、第２屈曲部２０１、２０２が形成される。第１屈曲部１０１は、吸収性物品１の平面視において、吸収体３０の幅方向の両側部３１、３２よりも内側であって吸収性物品１の中央線ＣＬに対称に一対配設される。第１屈曲部１０１，１０２は、着用者の排泄部と表面シート１０とが当接する当接領域が含まれる中央領域Ｍにおいて、吸収性物品１の幅方向Ｗの外方に向けて凸形状を有する。第２屈曲部２０１、２０２は、第１屈曲部１０１，１０２よりも吸収性物品１の幅方向Ｗの内側に一対配設される。第２屈曲部２０１、２０２は、中央領域Ｍにおいて、吸収性物品１の幅方向Ｗの外方に向けて凸形状を有する。【選択図】図１
2010246614.tif 000002
【特許請求の範囲】
【請求項１】
着用者の肌に当接する当接面を有する表面シートと、液体を透過しない液不透過性の裏面シートと、前記表面シートと前記裏面シートとの間に配設される吸収体とを備える吸収性物品であって、
前記着用者の排泄部と前記表面シートとが当接する当接領域における前記吸収性物品の厚さよりも薄く形成した第１屈曲部と、第２屈曲部とを備え、
前記第１屈曲部は、
前記当接領域が含まれる領域であって前記吸収体の幅方向の両側部よりも内側の領域に、前記吸収性物品の中央線に対称に一対配設され、前記吸収性物品の長手方向に沿って形成されており、
前記第２屈曲部は、
前記当接領域が含まれる領域であって前記第１屈曲部よりも前記吸収性物品の幅方向の内側の領域に一対配設され、前記吸収性物品の長手方向に沿って形成されており、
前記第１屈曲部及び前記第２屈曲部は、前記当接領域が含まれる領域において、前記吸収性物品の幅方向の外方に向けて凸形状を有する吸収性物品。
【請求項２】
少なくとも前記第１屈曲部は、
一対の第１屈曲部同士の間隔が最も広い中央幅広部と、
前記吸収性物品の使用状態において前記幅広部よりも前方において、一対の前記第１屈曲部同士の間隔が前記幅広部よりも狭い前方幅狭部と、
前記吸収性物品の使用状態において前記幅広部よりも後方において、一対の前記第１屈曲部同士の間隔が前記幅広部よりも狭い後方幅狭部と、
前記前方幅狭部よりも前方において、一対の前記第１屈曲部同士の間隔が前記前方幅狭部よりも広い前方幅広部と、
前記後方幅狭部よりも後方において、一対の前記第１屈曲部同士の間隔が前記後方幅狭部よりも広い後方幅広部とを有する請求項１に記載の吸収性物品。
【請求項３】
前記前方幅広部の間、又は前記後方幅広部の間に配設され、前記吸収性物品の幅方向に延びる主横断屈曲部を有する請求項２に記載の吸収性物品。
【請求項４】
前記主横断屈曲部よりも前記中央領域側に配設され、前記吸収性物品の幅方向に延びる少なくとも一つの副横断屈曲部を有する請求項２に記載の吸収性物品。
【請求項５】
前記吸収性物品の平面視において、前記吸収体の両側部に対応する位置に一対配設され、前記長手方向に伸縮性を有する防漏部を有し、
前記吸収性物品の幅方向に平行であって一対の前記防漏部の前記表面シートとの接合部を除く自由部分の端部同士を連結した仮想線と、少なくとも一対の前記第１屈曲部とが交差しており、
前記仮想線は、前記主横断屈曲部又は前記副横断屈曲部と交差する請求項４に記載の吸収性物品。
【請求項６】
前記当接領域に対応する位置に存在する吸収体の坪量は、前記第１屈曲部と前記第２屈曲部との間に存在する吸収体の坪量よりも多い請求項１に記載の吸収性物品。
【請求項７】
前記第１屈曲部及び前記第２屈曲部は、圧搾加工により形成される請求項１に記載の吸収性物品。
【請求項８】
少なくとも前記第１屈曲部は、
前記圧搾加工により吸収体の密度が高められた高圧搾領域と、前記高圧搾領域よりも密度が低い低圧搾領域とを有し、
前記第１屈曲部を介して対峙する吸収体同士は、前記低圧搾領域によって連結される請求項７に記載の吸収性物品。
【発明の詳細な説明】
【技術分野】
【０００１】
本発明は、表面シートと裏面シートと吸収体とを備える吸収性物品に関する。
【背景技術】
【０００２】
従来、生理用ナプキンなどの吸収性物品において、着用者の肌と吸収性物品とのフィット性を高めるため、表面シートの表面に溝を設けることが提案されている（特許文献１参照）。特許文献１では、溝の形状は、吸収性物品の幅方向の外方に向けて凹状に形成される。この従来の吸収性物品では、溝の凹状部分が着用者の大腿部の形状に馴染むとともに、着用者の大腿部から吸収性物品の幅方向を狭める方向に作用する圧縮力によって、吸収体の中央部が着用者の排泄部に近づく方向に持ち上げられることを図っている。
【先行技術文献】
【特許文献】
【０００３】
【特許文献１】特開２００２−２３８９４８号公報（第３頁、第１図、第３図）
【発明の概要】
【発明が解決しようとする課題】
【０００４】
しかしながら、上述の従来の吸収性物品には、次のような問題があった。すなわち、溝の形状が吸収性物品の幅方向の外方に向けて凹状に形成されている。そのため、吸収体の中央部が着用者の排泄部に近づく方向に持ち上げられるように吸収性物品の幅方向の形状を変形させるためには、溝の凹状部分の最も幅方向の内方にある頂点付近まで幅方向内方に向けて押し込まれる程度の変位が必要である。
【０００５】
従って、着用者の体型、吸収性物品が装着される下着の形状等によっては、吸収体の中央部を排泄部に近づける方向に持ち上げる持ち上げ効果が十分に発揮されないという問題点があった。また、使用状態、すなわち、大腿部によって吸収性物品の幅方向に圧縮された状態では、吸収体の吸収面中央部が括れるため、吸収面積が減少することがあった。
【０００６】
そこで、本発明は、このような状況に鑑みてなされたものであり、着用者の排泄部との密着性を高めることができ、体液を確実に吸収することができる吸収性物品を提供することを目的とする。
【課題を解決するための手段】
【０００７】
上述した課題を解決するため、本発明は、次のような特徴を有する。すなわち、着用者の肌に当接する当接面を有する表面シート（表面シート１０）と、液体を透過しない液不透過性の裏面シート（裏面シート２０）と、前記表面シートと前記裏面シートとの間に配設される吸収体（吸収体３０）とを備える吸収性物品（吸収性物品１）であって、前記着用者の排泄部と前記表面シートとが当接する当接領域（当接領域Ｓ）における前記吸収性物品の厚さよりも薄く形成した第１屈曲部（第１屈曲部１０１，１０２）と、第２屈曲部（第２屈曲部２０１，２０２）とを備え、前記第１屈曲部は、前記当接領域が含まれる領域であって前記吸収体の幅方向の両側部（両側部３１，３２）よりも内側の領域に、前記吸収性物品の中央線（ＣＬ）に対称に一対配設され、前記吸収性物品の長手方向（Ｌ）に沿って形成されており、前記第２屈曲部は、前記当接領域が含まれる領域であって前記第１屈曲部よりも前記吸収性物品の幅方向の内側の領域に一対配設され、前記吸収性物品の長手方向に沿って形成されており、前記第１屈曲部及び前記第２屈曲部は、前記当接領域が含まれる領域において、前記吸収性物品の幅方向の外方に向けて凸形状を有することを要旨とする。
【発明の効果】
【０００８】
本発明によれば、着用者の排泄部との密着性を高めることができ、体液を確実に吸収することができる
【図面の簡単な説明】
【０００９】
【図１】図１は、第１実施形態に係る吸収性物品の平面図である。
【図２】図２は、第１実施形態の吸収性物品のＦ１−Ｆ１’線における断面図である。
【図３】図３は、第１実施形態に係る第１屈曲部を説明する拡大図である。
【図４】図４は、第２実施形態に係る吸収性物品の平面図である。
【図５】図５は、第２実施形態に係る吸収性物品の装着時の形状を説明する模式図である。
【図６】図６は、第３実施形態に係る吸収性物品の平面図である。
【発明を実施するための形態】
【００１０】
本発明に係る吸収性物品の実施形態について、図面を参照しながら説明する。以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００１１】
（第１実施形態）
図１を参照して、本発明の第１実施形態に係る吸収性物品について説明する。図１は、本発明の実施形態に係る吸収性物品１の平面図である。
【００１２】
図１における吸収性物品１は、例えば、生理用ナプキンである。図１に示すように、吸収性物品１は、前方領域Ｆと中央領域Ｍと後方領域Ｒとを有する。前方領域Ｆは、着用者の腹側の肌表面に接触する。中央領域Ｍは、着用者の膣口周辺の肌表面に接触する。後方領域Ｒは、着用者の尻側の肌表面に接触する。
【００１３】
吸収性物品１は、着用者の肌に当接する表面シート１０と、液体を透過しない液不透過性の裏面シート２０と、吸収体３０とを有する。吸収体３０は、表面シート１０と、裏面シート２０との間に配設される。従って、吸収体３０は、図１において破線で示される。吸収体３０は、吸収性物品１の長手方向における中央部分に配設される。また、吸収性物品１は、吸収性物品１の長手方向Ｌに直交する吸収体３０の幅方向Ｗ外側に設けられるサイドシート４１，４２とを備える。吸収性物品１は、防漏部（以下、ギャザーという）５１，５２と、ウィング部６１，６２とを備える。
【００１４】
図１には、図示されていないが、表面シート１０と吸収体３０との間にセカンドシート１１を備えていてもよい。
【００１５】
吸収性物品１の長手方向の寸法は、１００〜５００ｍｍの範囲が好ましく、具体的には、１５０〜４２０ｍｍの範囲がより好ましい。また、幅方向の寸法は、３０〜２００ｍｍの範囲が好ましく、具体的には、４０〜１８０ｍｍの範囲がより好ましい。
【００１６】
表面シート１０は、裏面シート２０の長さと略同一の長さを有する。表面シート１０の長手方向の端部の形状は、裏面シート２０の長手方向の端部の形状と略同一である。表面シート１０は、少なくとも吸収体３０の表面を覆う。
【００１７】
表面シート１０について具体的に説明する。
【００１８】
本実施形態において、表面シート１０は、不織布である。表面シート１０の素材は、織布、有孔プラスチックシート等、液体を透過する構造のシート状の材料であれば、特に限定されない。織布や不織布の素材としては、天然繊維、化学繊維のいずれも使用できる。
【００１９】
天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は親水化処理を施した熱可塑性疎水性化学繊維などが挙げられる。
【００２０】
熱可塑性疎水性化学繊維の例としては、ポリエチレン（ＰＥ）、ポリプロピレン（ＰＰ）、ポリエチレンテレフタレート（ＰＥＴ）等の単繊維、ポリエチレンとポリプロピレンをグラフト重合してなる繊維、芯鞘構造等の複合繊維が挙げられる。
【００２１】
不織布のウェブフォーミング方法としては、乾式（カード法、スパンボンド法、メルトブローン法、エアレイド法等）及び湿式のいずれか一つの方法を用いることができる。乾式法と湿式法のうち、複数の方法を組み合わせてもよい。また、サーマルボンディング、ニードルパンチ、ケミカルボンディング等の方法が挙げられる。不織布を作成する方法は、上述の方法に限定されない。
【００２２】
また、水流交絡法によりシート状に形成したスパンレースを表面シート１０に用いることもできる。また、不織布の上層側に凹凸を付けた不織布、又はウェブ形成時にエアーを当てることにより不織布に目付ムラを設けた凹凸不織布を表面シート１０に用いることもできる。表面に凹凸を形成することにより、体液が表面シート１０を透過する前に表面シート１０の表面を伝わって拡散することを軽減できる。
【００２３】
次に、裏面シート２０について具体的に説明する。
【００２４】
本実施形態において、裏面シート２０は、ポリエチレン、ポリプロピレン等を主体としたフィルム、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。例えば、低密度ポリエチレン（ＬＤＰＥ）樹脂を主体とし、目付（単位面積当りの重さ：坪量ともいう）が１５〜３０ｇ／ｍ２の範囲のフィルムを使用することが好ましい。
【００２５】
次に、吸収体３０について具体的に説明する。
【００２６】
吸収体３０は、親水性繊維、パルプを含む。親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形し易さとを考慮すると、粉砕パルプを使用することが好ましい。
【００２７】
親水性繊維に高分子吸収体を混合したものを吸収体３０として使用しても良い。本実施形態では、高分子吸収体は、吸収性、吸湿性のあるアクリル酸ナトリウム共重合体等の粒状ポリマーである。吸収体３０は、親水性繊維又は粉体をエアレイド法によってシート状に成形したエアレイドシートでもよい。吸収体３０として、エアレイドシートを使用する場合、エアレイドシートの厚さは、０．３〜５．０ｍｍであるのが好ましい。エアレイドシートの例としては、繊維と粒子状ポリマーとをバインダー等でシート物に成形したものが挙げられる。なお、粒子状ポリマーは、エアレイドシートにおいて、層状に分散されていてもよいし、厚み方向に偏っていてもよい。
【００２８】
吸収体３０には、着用中の型崩れやヨレの防止、又は厚みを調整するため、エンボスが適宜形成されていてもよい。吸収体３０へのエンボスは、パターニングされたエンボスロールとフラットロールとの間に、吸収体を通紙することによって形成できる。エンボスロールのパターンは、格子状・ドット状・波状等が用いられるが、厚みを調整しやすい格子状のパターンが好ましい。
【００２９】
サイドシート４１，４２について説明する。
【００３０】
サイドシート４１，４２は、表面シート１０と同様の材料から選ぶことができる。但し、サイドシート４１，４２を乗り越えて吸収性物品１外方へ経血が流れることを防止するためには、疎水性又は撥水性を有することが好ましい。具体的には、スパンボンド不織布やＳＭＳ不織布などが挙げられる。サイドシート４１，４２は、肌との当接面を構成する。そのため、肌への擦れ刺激を低減するためには、エアスルー不織布を用いることが好ましい。
【００３１】
サイドシート４１，４２は、表面シート１０の両側に配設される。サイドシート４１は、吸収体３０の側縁の一部及びウイング６１を覆う。サイドシート４１の長手方向の一方の端部は、略直線であり、表面シート１０の長手方向の一方の端部と重なる。サイドシート４１の長手方向の他方の端部は、裏面シート２０の外周の一部及びウイング６１の形状と一致する。サイドシート４２は、吸収体３０の側縁の一部及びウィング部６２を覆う。サイドシート４２の長手方向の一方の端部は、略直線であり、表面シート１０の長手方向の他方の端部と重なる。サイドシート４２の長手方向の他方の端部は、裏面シート２０の外周の一部及びウィング部６２の形状と一致する。
【００３２】
ギャザー５１，５２は、伸縮性を有する部材として、ゴム８０を有する（図１には不図示、図２参照）。ギャザー５１，５２は、吸収体３０の両側の縁部に設けられる。ギャザー５１，５２には、ゴム８０が伸長された状態で、吸収性物品１の長手方向Ｌに沿って配設される。ギャザー５１は、接合部５１ｆ,５１ｒにおいて表面シート１０に接合されている。ギャザー５２は、接合部５２ｆ,５２ｒにおいて表面シート１０に接合されている。
【００３３】
ギャザー５１の接合部５１ｆ,５１ｒよりも、吸収性物品１の長手方向Ｌの内側は、表面シート１０と接合されていない。ギャザー５１は、表面シート１０に接合されない自由部分の端部５１ｆｆ、５１ｒｆとを有する。ギャザー５１の接合部５２ｆ,５２ｒよりも、吸収性物品１の長手方向Ｌの内側は、表面シート１０と接合されていない。ギャザー５２は、表面シート１０と接合されていない自由部分の端部５２ｆｆ、５２ｒｆを有する。
【００３４】
吸収性物品１において、表面シート１０、サイドシート４１，４２、裏面シート２０、及び吸収体３０は、互いに接合される。表面シート１０、サイドシート４１，４２、及び裏面シート２０の周縁が接合されて、吸収体３０が内封されている。表面シート１０と裏面シート２０との接合方法としては、ヒートエンボス加工、超音波、又はホットメルト型接着剤のいずれか一つ、又は複数を組み合わせることが可能である。
【００３５】
裏面シート２０において、ショーツと接触する表面には、裏面シート２０の長手方向に沿って、接着材７０がライン状に塗布される（図１には不図示、図２参照）。接着材７０は、裏面シート２０の長手方向に沿って複数ライン塗布される。ウィング部６１及びウィング部６２において、ショーツと接触する表面にもまた、接着材が塗布される。使用前の状態では、接着材７０には粘着性を保持するための保護シート（不図示）が接着されている。保護シートは、使用時に着用者によって剥離される。
【００３６】
本実施形態に係る吸収性物品１は、表面シート１０の表面に、吸収性物品１の長手方向に沿って、第１屈曲部１０１、１０２、第２屈曲部２０１、２０２が形成される。
【００３７】
第１屈曲部１０１は、吸収性物品１の平面視において、吸収体３０の幅方向の両側部３１、３２よりも内側の領域であって吸収性物品１の中央線ＣＬに対称に一対配設される。第１屈曲部１０１，１０２は、着用者の排泄部と表面シート１０とが当接する当接領域Ｓが含まれる中央領域Ｍにおいて、吸収性物品１の幅方向Ｗの外方に向けて凸形状を有する。第１屈曲部１０１，１０２は、着用者の排泄部と表面シート１０とが当接する当接領域Ｓにおける吸収性物品１の厚さよりも薄く形成されている。本実施形態では、第１屈曲部１０１，１０２は表面シート１０に形成される溝である。
【００３８】
第２屈曲部２０１、２０２は、吸収性物品１の長手方向Ｌに沿って形成される。第２屈曲部２０１、２０２は、第１屈曲部１０１，１０２よりも吸収性物品１の幅方向Ｗの内側の領域に一対配設される。第２屈曲部２０１、２０２は、着用者の排泄部と表面シート１０とが当接する当接領域Ｓが含まれる中央領域Ｍにおいて、吸収性物品１の幅方向Ｗの外方に向けて凸形状を有する。第２屈曲部２０１，２０２は、着用者の排泄部と表面シート１０とが当接する当接領域Ｓにおける吸収性物品１の厚さよりも薄く形成されている。本実施形態では、第２屈曲部２０１，２０２は表面シート１０に形成される溝である。
【００３９】
第１屈曲部１０１，１０２は、中央幅広部１０１ａ，１０２ａを有する。中央幅広部１０１ａ，１０２ａでは、第１屈曲部１０１，１０２の互いの間隔Ｗ０が最も広い。
【００４０】
第１屈曲部１０１，１０２は、中央幅広部１０１ａ，１０２ａよりも前方に前方幅狭部１０１ｂ，１０２ｂを有する。前方幅狭部１０１ｂ，１０２ｂでは、吸収性物品１の使用状態において、第１屈曲部１０１，１０２の互いの間隔Ｗ１が中央幅広部１０１ａ，１０２ａよりも狭い。すなわち、Ｗ０＞Ｗ１である。
【００４１】
第１屈曲部１０１，１０２は、中央幅広部１０１ａ，１０２ａよりも後方に後方幅狭部１０１ｃ,１０２ｃを有する。後方幅狭部１０１ｃ,１０２ｃでは、吸収性物品１の使用状態において、第１屈曲部１０１，１０２の互いの間隔Ｗ２が中央幅広部１０１ａ，１０２ａよりも狭い。すなわち、Ｗ０＞Ｗ２である。
【００４２】
ここで、中央幅広部１０１ａ，１０２ａの間隔Ｗ０は、２０〜６０ｍｍであることが好ましい。間隔Ｗ０が２０ｍｍ以下であると、中央領域Ｍにおける吸収量を確保することができなくなる。６０ｍｍを超えると、装着者の平均的な股間間隔を超えるため、着用者に違和感を与える。
【００４３】
図２は、図１に示す吸収性物品１のＦ１−Ｆ１’線における断面図である。図２は、吸収性物品１の使用時における断面である。図２において、吸収性物品１のウィング部６１，６２は、裏面シート２０側に折り返されている。図２に示すように、ギャザー５１，５２には、ゴム８０が配設されている。
【００４４】
着用者の排泄部と表面シート１０とが当接する当接領域Ｓに対応する吸収体３０の坪量は、図２に示す領域Ｓ１（第１屈曲部１０１と第２屈曲部２０１との間）に存在する吸収体の坪量よりも多い。同様に領域Ｓ２（第１屈曲部１０２と第２屈曲部２０２との間）に存在する吸収体の坪量よりも多い。例えば、当接領域Ｓに対応する吸収体３０の坪量は、５００ｇ／ｍ２であり、領域Ｓ１に存在する吸収体の坪量（領域Ｓ２に存在する吸収体の坪量）は、２００ｇ／ｍ２である。これにより、吸収性物品１の当接領域Ｓに対応する部分の剛性を領域Ｓ１，Ｓ２における剛性よりも高めている。
【００４５】
本実施形態では、第１屈曲部１０１，１０２及び第２屈曲部２０１，２０２は、圧搾加工により形成される。図３は、第１屈曲部１０１の拡大図である。第１屈曲部１０１は、着用者の排泄部と表面シート１０とが当接する当接領域Ｓにおける吸収性物品１の厚さよりも薄く形成されている。第１屈曲部１０１は、表面シート１０に形成される溝である。溝の底部に、圧搾加工により吸収体３０の密度が高められた高圧搾領域ＷＨと、高圧搾領域ＷＨよりも密度が低い低圧搾領域ＷＬとを有する。本実施形態では、低圧搾領域ＷＬは格子状に形成される。第１屈曲部１０１を介して対峙する吸収体同士は、低圧搾領域ＷＬによって連結される。第１屈曲部１０１の底部の幅ｗは、０．５ｍｍ〜５ｍｍであることが好ましい。０．５ｍｍ以下であると、底部の剛性が確保できず、底部が切断されることがある。５ｍｍを超えると、幅方向の剛性が高くなりすぎ、装着時に着用者に違和感を与える。第１屈曲部１０２、第２屈曲部２０１，２０２も同様の構成を有する。
【００４６】
吸収性物品１では、第１屈曲部１０１と第１屈曲部１０２の中央幅広部１０１ａ，１０２ａが平面視において、吸収性物品１の幅方向Ｗの外方へ凸形状になっている。そのため、吸収性物品１の中央幅広部１０１ａ，１０２ａには、着用者の大腿部Ｈが当接しやすくなる。
【００４７】
また、第１屈曲部１０１，１０２及び第２屈曲部２０１，２０２は、着用者の排泄部と表面シート１０とが当接する当接領域Ｓにおける吸収性物品１の厚さよりも薄く形成されているため、吸収性物品１は、第１屈曲部１０１，１０２及び第２屈曲部２０１，２０２において折れ曲がりやすい。
【００４８】
ここで、第１屈曲部１０１，１０２及び第２屈曲部２０１，２０２を形成する部分の吸収体３０の坪量は、圧搾加工の前の状態で、１００ｇ／ｍ２〜４５０ｇ／ｍ２の範囲であることが好ましい。或いは、第１屈曲部１０１，１０２及び第２屈曲部２０１，２０２を含む吸収体３０の剛性値は５００ｍｇ〜２５００ｍｇ（ガーレー剛性値）の範囲であることが好ましい。
【００４９】
剛性値が５００ｍｇ以下であると、吸収性物品１が幅方向の両側から幅方向内側に向く力を受けた場合に、第１屈曲部１０１，１０２及び第２屈曲部２０１，２０２の底部の剛性が確保できず、底部が折れ曲がったり縒れたりすることがあるため、吸収性物品１が幅方向の両側から幅方向内側に向く力を第１屈曲部１０１，１０２及び第２屈曲部２０１，２０２の延びる方向に伝達できないことがある。この場合、後述する、「吸収性物品を変形させる作用」が働きにくくなる。
【００５０】
また、剛性値が２５００ｍｇを超えると着用者の体への追従性が低下するとともに、着用者に違和感を与え易くなる。
【００５１】
吸収性物品１が幅方向内側に向く力Ｆを受けたとき、吸収性物品１は、第１屈曲部１０１，１０２及び第２屈曲部２０１，２０２において肉薄に形成された部分（溝の底部）がヒンジの役割を果たして裏面シート２０側に折れ曲がる。第１屈曲部１０１と第２屈曲部２０１との間の領域Ｓ１及び第１屈曲部１０１と第２屈曲部２０２との間の領域Ｓ２は、吸収性物品１の裏面シート３０側に入り込み、中央領域Ｍを着用者の肌に近づく方向に支持する。従って、吸収性物品１と着用者との密着性を高めることができる。
【００５２】
また、吸収性物品１の表面シート１０における体液の吸収面は、幅方向Ｗの外方へ向けて凸形状の第１屈曲部１０１，１０２及び第２屈曲部２０１，２０２を備えるため、使用時において吸収性物品１の幅方向内側に向けて力が加えられても、吸収体３０の両側部３１，３２が狭められることがない。従って、吸収性物品１の中央領域Ｍにおいて、十分な吸収面積が確保されるという利点も有する。
【００５３】
以下、吸収性物品を変形させる作用について説明する。第１屈曲部１０１，１０２の底部は、圧搾されることにより剛性が高められているため、中央幅広部１０１ａ，１０２ａに幅方向内側に向けて加えられた力は、吸収体３０を肌に近づける方向に持ち上げるとともに、第１屈曲部１０１，１０２に沿って伝播される。その結果、前方幅狭部１０１ｂ，１０２ｂの間隔Ｗ１及び後方幅狭部１０１ｃ，１０２ｃの間隔Ｗ２を押し縮める方向に作用する。
【００５４】
幅方向内側に向けて加えられた力は、前方幅狭部１０１ｂ，１０２ｂの間隔Ｗ１及び後方幅狭部１０１ｃ，１０２ｃの間隔Ｗ２に集中する。このとき、幅方向内側に向けて加えられた力は、当接領域Ｓを着用者の肌側に隆起させる。更に、中央幅広部１０１ａ，１０２ａに幅方向内側に向けて加えられた力Ｆは、前方領域Ｆ及び後方領域Ｒを吸収性物品１の幅方向外側に拡張させる。前方領域Ｆ及び後方領域Ｒは、この力を受けながら肌側に近づく方向に引き上げられる。そのため、前方領域Ｆ及び後方領域Ｒは、幅方向の広さを確保しながらカップ形状に変形する。従って、当接領域Ｓが着用者の排泄部により密着するとともに、前方領域Ｆ及び後方領域Ｒに流れ出た体液を確実に受け止めることができる。
【００５５】
また、吸収性物品１は、第１屈曲部１０１，１０２の端部（本実施形態に示す前方幅狭部１０１ｂ，１０２ｂ、後方幅狭部１０１ｃ，１０２ｃ）が中央幅広部１０１ａ，１０２ａよりも吸収性物品の幅方向内側に位置している。そのため、使用時に、表面シート１０の吸収面を超えて、図２に示す第１屈曲部１０１，第２屈曲部２０２，領域Ｓ１によって形成される空間に体液が侵入した場合であっても、第１屈曲部１０１，１０２に導かれて吸収体３０側に流される。従って、吸収性物品１の前方領域Ｆ、後方領域Ｒからの漏れを防止することができる。
【００５６】
また、吸収性物品１の第１屈曲部１０１，１０２及び第２屈曲部２０１，２０２には、圧搾加工により、高圧搾領域ＷＨと低圧搾領域ＷＬとが形成されており、低圧搾領域ＷＬは、第１屈曲部を挟んで対峙する吸収体３０同士を連結している。本実施形態では、溝の底部に低圧搾領域ＷＬが形成されることにより吸収体３０が分断されていないため、吸収容量を損なうことがない。従って、吸収性物品１は、吸収性物品１と着用者との密着性を高めることができるとともに、体液を確実に吸収することができる。
【００５７】
（第２実施形態）
図４を参照して、本発明の第２実施形態に係る吸収性物品２について説明する。図１に示す吸収性物品１と同様の構成は、同一の番号を付し、詳細な説明は省略する。図４に示す吸収性物品２は、図１に示した第１屈曲部１０１、１０２が吸収性物品の長手方向に延長されている。また、前方領域Ｆ、後方領域Ｒに、主横断屈曲部１１１ｆ、１１１ｒが形成される。主横断屈曲部１１１ｆ、１１１ｒは、着用者の排泄部と表面シート１０とが当接する当接領域Ｓにおける吸収性物品１の厚さよりも薄く形成されている。
【００５８】
本実施形態では、主横断屈曲部１１１ｆ、１１１ｒは表面シート１０に形成される溝である。主横断屈曲部１１１ｆ、主横断屈曲部１１１ｒは、第１屈曲部１０１，１０２及び第２屈曲部２０１，２０２と同様に、圧搾加工により、高圧搾領域ＷＨと低圧搾領域ＷＬとが形成されており、低圧搾領域ＷＬは格子状に形成される。
【００５９】
吸収性物品２では、第１屈曲部１０１，１０２は、吸収性物品２の長手方向における第２屈曲部２０１，２０２の端部よりも前後方向に延びている。第１屈曲部１０１，１０２は、中央幅広部１０１ａ，１０２ａを有する。中央幅広部１０１ａ，１０２ａでは、第１屈曲部１０１，１０２の互いの間隔Ｗ０が最も広い。
【００６０】
第１屈曲部１０１，１０２は、中央幅広部１０１ａ，１０２ａよりも前方に前方幅狭部１０１ｂ，１０２ｂを有する。前方幅狭部１０１ｂ，１０２ｂでは、吸収性物品２の使用状態において、第１屈曲部１０１，１０２の互いの間隔Ｗ１が中央幅広部１０１ａ，１０２ａよりも狭い。すなわち、Ｗ０＞Ｗ１である。
【００６１】
第１屈曲部１０１，１０２は、中央幅広部１０１ａ，１０２ａよりも後方に後方幅狭部１０１ｃ,１０２ｃを有する。後方幅狭部１０１ｃ,１０２ｃでは、吸収性物品２の使用状態において、第１屈曲部１０１，１０２の互いの間隔Ｗ２が中央幅広部１０１ａ，１０２ａよりも狭い。すなわち、Ｗ０＞Ｗ２である。
【００６２】
第１屈曲部１０１，１０２は、前方幅狭部１０１ｂ，１０２ｂよりも更に前方に前方幅広部１０１ｄ，１０２ｄを有する。前方幅広部１０１ｄ，１０２ｄでは、吸収性物品２の使用状態において、第１屈曲部１０１，１０２の互いの間隔Ｗ３が前方幅狭部１０１ｂ，１０２ｂよりも広い。すなわち、Ｗ３＞Ｗ１である。
【００６３】
第１屈曲部１０１，１０２は、後方幅狭部１０１ｃ,１０２ｃよりも後方に後方幅広部１０１ｅ,１０２ｅを有する。後方幅広部１０１ｅ,１０２ｅでは、吸収性物品２の使用状態において、第１屈曲部１０１，１０２の互いの間隔Ｗ４が後方幅狭部１０１ｃ,１０２ｃよりも広い。すなわち、Ｗ４＞Ｗ２である。
【００６４】
ここで、中央幅広部１０１ａ，１０２ａの間隔Ｗ０は、２０〜６０ｍｍであることが好ましい。間隔Ｗ０が２０ｍｍ以下であると、中央領域Ｍにおける吸収量を確保することができなくなる。６０ｍｍを超えると、装着者の平均的な股間間隔を超えるため、着用者に違和感を与える。
【００６５】
吸収性物品２は、前方幅広部１０１ｄ、１０２ｄの間に吸収性物品２の幅方向に延びる主横断屈曲部１１１ｆを有する。主横断屈曲部１１１ｆは、前方向に凸形状を有する曲線状に形成される。主横断屈曲部１１１ｆの幅方向の両端部は、第１屈曲部１０１，１０２の前方の端部に連結されている。
【００６６】
また、吸収性物品２は、後方幅広部１０１ｅ、１０２ｅの間に吸収性物品２の幅方向に延びる主横断屈曲部１１１ｒを有する。主横断屈曲部１１１ｒは、後ろ方向に凸形状を有する曲線状に形成される。主横断屈曲部１１１ｒの幅方向の両端部は、第１屈曲部１０１，１０２の後方の端部に連結されている。
【００６７】
ギャザー５１の自由部分の端部５１ｆｆと、ギャザー５２の自由部分の端部５２ｆｆとを結ぶ仮想線ＦＬと、一対の第１屈曲部１０１，１０２とは交差する。
【００６８】
ギャザー５１の自由部分の端部５１ｒｆと、ギャザー５２の自由部分の端部５２ｒｆとを結ぶ仮想線ＲＬと、一対の第１屈曲部１０１，１０２とは交差する。
【００６９】
図５は、本実施形態に係る吸収性物品２の装着時の形状を説明する模式図である。吸収性物品２では、第１屈曲部１０１と第１屈曲部１０２の中央幅広部１０１ａ，１０２ａが平面視において、吸収性物品２の幅方向Ｗの外方へ凸形状になっている。そのため、吸収性物品２の中央幅広部１０１ａ，１０２ａに、着用者の大腿部Ｈが当接しやすくなる。
【００７０】
また、第１屈曲部１０１，１０２及び第２屈曲部２０１，２０２は、着用者の排泄部と表面シート１０とが当接する当接領域Ｓにおける吸収性物品１の厚さよりも薄く形成されているため、吸収性物品１は、第１屈曲部１０１，１０２及び第２屈曲部２０１，２０２において折れ曲がりやすい。
【００７１】
吸収性物品１が幅方向内側に向く力Ｆを受けたとき、吸収性物品１は、第１屈曲部１０１，１０２及び第２屈曲部２０１，２０２において肉薄に形成された部分（溝の底部）がヒンジの役割を果たして裏面シート２０側に折れ曲がる。第１屈曲部１０１と第２屈曲部２０１との間の領域Ｓ１及び第１屈曲部１０１と第２屈曲部２０２との間の領域Ｓ２は、吸収性物品１の裏面シート３０側に入り込み、中央領域Ｍを着用者の肌に近づく方向に支持する。従って、吸収性物品１と着用者との密着性を高めることができる。
【００７２】
また、第１屈曲部１０１，１０２の底部は、圧搾されることにより剛性が高められているため、中央幅広部１０１ａ，１０２ａに幅方向内側に向けて加えられた力Ｆは、吸収体３０を肌に近づける方向に持ち上げるとともに、第１屈曲部１０１，１０２に沿って伝播される。その結果、前方幅狭部１０１ｂ，１０２ｂの間隔Ｗ１及び後方幅狭部１０１ｃ，１０２ｃの間隔Ｗ２を押し縮める方向に作用する。
【００７３】
幅方向内側に向けて加えられた力Ｆは、前方幅狭部１０１ｂ，１０２ｂの間隔Ｗ１及び後方幅狭部１０１ｃ，１０２ｃの間隔Ｗ２に集中する。このとき、幅方向内側に向けて加えられた力は、当接領域Ｓを着用者の肌側に隆起させる。更に、中央幅広部１０１ａ，１０２ａに幅方向内側に向けて加えられた力Ｆは、前方幅広部１０１ｄ、１０２ｄ、後方幅広部１０１ｅ、１０２ｅを伝播し、前方領域Ｆ及び後方領域Ｒを吸収性物品２の幅方向外側に拡張させる。前方領域Ｆ及び後方領域Ｒは、この力を受けながら肌側に近づく方向Ｄ１，Ｄ２に引き上げられる。そのため、前方領域Ｆ及び後方領域Ｒは、幅方向の広さを確保しながらカップ形状に変形する。従って、当接領域Ｓが着用者の排泄部により密着するとともに、前方領域Ｆ及び後方領域Ｒに流れ出た体液を確実に受け止めることができる。
【００７４】
吸収性物品２では、主横断屈曲部１１１ｆ、１１１ｒを備えることにより、長手方向の剛性が弱められるため、長手方向に折れ曲がり易くなる。従って、吸収性物品２の幅方向内側に向けて圧縮される力Ｆが加えられたとき、前方幅広部１０１ｄ、１０２ｄ及び後方幅広部１０１ｅ、１０２ｅが肌側に引き寄せられ易くなり、カップ形状に変形し易くなる。
【００７５】
また、吸収性物品２の表面シート１０における体液の吸収面は、幅方向Ｗの外方へ向けて凸形状の第１屈曲部１０１，１０２及び第２屈曲部２０１，２０２を備える。そのため、使用時において吸収性物品２の幅方向内側に向けて力Ｆが加えられても、吸収性物品２が第１屈曲部１０１，１０２及び第２屈曲部２０１，２０２に沿って屈曲することにより、前方幅広部１０１ｄ、１０２ｄ、後方幅広部１０１ｅ、１０２ｅの間に位置する吸収体３０の一部に長手方向に延びる皺が入ったり、長手方向に折れ曲がることがない。すなわち、吸収体３０に不要な力が加わることを防ぐことができる。これにより、吸収体３０の両側部３１，３２が狭められることがない。従って、吸収性物品２の中央領域Ｍにおいて、十分な吸収面積が確保されるという利点も有する。
【００７６】
また、吸収性物品２は、前方幅狭部１０１ｂ，１０２ｂ、後方幅狭部１０１ｃ，１０２ｃが中央幅広部１０１ａ，１０２ａよりも吸収性物品の幅方向内側に位置している。そのため、使用時に、表面シート１０の吸収面を超えて、図２に示す第１屈曲部１０１，第２屈曲部２０２，領域Ｓ１によって形成される空間に体液が侵入した場合であっても、第１屈曲部１０１，１０２に導かれて吸収体３０側に流される。従って、吸収性物品２の前方領域Ｆ,後方領域Ｒからの漏れを防止することができる。
【００７７】
また、吸収性物品２の第１屈曲部１０１，１０２及び第２屈曲部２０１，２０２には、圧搾加工により、高圧搾領域ＷＨと低圧搾領域ＷＬとが形成されており、低圧搾領域ＷＬは吸収体第１屈曲部を挟んで対峙する吸収体３０同士を連結している。本実施形態では、溝の底部に形成される低圧搾領域ＷＬにより吸収体３０が分断されていないため、吸収容量を損なうことがない。従って、吸収性物品２は、吸収性物品２と着用者との密着性を高めることができるとともに、体液を確実に吸収することができる。
【００７８】
（第３実施形態）
図６を参照して、本発明の第３実施形態に係る吸収性物品３について説明する。上述した吸収性物品１，２と同様の構成は、同一の番号を付し、詳細な説明は省略する。図６に示す吸収性物品３は、図１に示した第１屈曲部１０１、１０２が吸収性物品の長手方向に延長されている。また、前方領域Ｆ、後方領域Ｒに、主横断屈曲部１１１ｆ、１１１ｒが形成される。更に、副横断屈曲部１１２ｆ、１１２ｒが形成される。副横断屈曲部１１２ｆ、１１２ｒは、着用者の排泄部と表面シート１０とが当接する当接領域Ｓにおける吸収性物品１の厚さよりも薄く形成されている。本実施形態では、副横断屈曲部１１２ｆ、１１２ｒは表面シート１０に形成される溝である。
【００７９】
本実施形態では、副横断屈曲部１１２ｆ、１１２ｒは、第１屈曲部１０１，１０２及び第２屈曲部２０１，２０２と同様に、圧搾加工により、高圧搾領域ＷＨと低圧搾領域ＷＬとが形成されており、低圧搾領域ＷＬは格子状に形成される。
【００８０】
本実施形態に係る吸収性物品３は、表面シート１０の表面に、吸収性物品３の長手方向に沿って、第１屈曲部１０１，１０２、第２屈曲部２０１，２０２が形成される。中央幅広部１０１ａ，１０２ａ、前方幅狭部１０１ｂ，１０２、後方幅狭部１０１ｃ,１０２ｃ、後方幅広部１０１ｅ,１０２ｅにおける第１屈曲部１０１，１０２の互いの間隔は、第２実施形態と同じである。
【００８１】
吸収性物品３は、副横断屈曲部１１２ｆ，１１２ｒを有する。副横断屈曲部１１２ｆは、主横断屈曲部１１１ｆよりも中央領域Ｍ側に形成される。副横断屈曲部１１２ｆは、前方向に凸形状を有する曲線状に形成される。副横断屈曲部１１２ｒは、主横断屈曲部１１１ｒよりも中央領域Ｍ側に形成される。副横断屈曲部１１２ｒは、後ろ方向に凸形状を有する曲線状に形成される。
【００８２】
ギャザー５１の自由部分の端部５１ｆｆと、ギャザー５２の自由部分の端部５２ｆｆとを結ぶ仮想線ＦＬと、一対の第１屈曲部１０１，１０２とは交差する。また、仮想線ＦＬは、副横断屈曲部１１２ｆと交差する。
【００８３】
ギャザー５１の自由部分の端部５１ｒｆと、ギャザー５２の自由部分の端部５２ｒｆとを結ぶ仮想線ＲＬと、一対の第１屈曲部１０１，１０２とは交差する。また、仮想線ＲＬは、副横断屈曲部１１２ｒと交差する。
【００８４】
以上説明したように、吸収性物品３では、主横断屈曲部１１１ｆ、１１１ｒ及び副横断屈曲部１１２ｆ、１１２ｒを備えることにより、長手方向の剛性が弱められる部分が増えるため、長手方向に一層折れ曲がり易くなる。従って、吸収性物品３の幅方向内側に向けて圧縮される力Ｆによって、前方幅広部１０１ｄ、１０２ｄ及び後方幅広部１０１ｅ、１０２ｅが一層肌側に引き寄せられ易くなり、カップ形状への変形が促進される。
【００８５】
また、吸収性物品３の表面シート１０における体液の吸収面は、幅方向Ｗの外方へ向けて凸形状の第１屈曲部１０１，１０２及び第２屈曲部２０１，２０２を備えるため、使用時において吸収性物品３の幅方向内側に向けて力Ｆが加えられても、吸収体３０の両側部３１，３２が狭められることがない。従って、吸収性物品３の中央領域Ｍにおいて、十分な吸収面積が確保されるという利点も有する。
【００８６】
また、吸収性物品３は、前方幅狭部１０１ｂ，１０２ｂ、後方幅狭部１０１ｃ，１０１ｃが中央幅広部１０１ａ，１０２ａよりも吸収性物品の幅方向内側に位置している。そのため、使用時に、表面シート１０の吸収面を超えて、図２に示す第１屈曲部１０１，第２屈曲部２０２，領域Ｓ１によって形成される空間に体液が侵入した場合であっても、第１屈曲部１０１，１０２に導かれて吸収体３０側に流される。従って、吸収性物品３の前方領域Ｆ,後方領域Ｒからの漏れを防止することができる。
【００８７】
また、吸収性物品３の第１屈曲部１０１，１０２及び第２屈曲部２０１，２０２には、圧搾加工により、高圧搾領域ＷＨと低圧搾領域ＷＬとが形成されており、低圧搾領域ＷＬは吸収体第１屈曲部を挟んで対峙する吸収体３０同士を連結している。本実施形態では、溝の底部に形成される低圧搾領域ＷＬにより吸収体３０が分断されていないため、吸収容量を損なうことがない。従って、吸収性物品３は、吸収性物品３と着用者との密着性を高めることができるとともに、体液を確実に吸収することができる。
【００８８】
（その他の実施形態）
以上説明したように、本発明の第１〜第４実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００８９】
本発明の実施形態は、次のように変更することができる。上述の各実施形態では、吸収性物品は、生理用ナプキンであるとして説明したが、本発明は、いわゆるライナー、失禁用品（失禁パットという）等にも適用できる。
【００９０】
吸収性物品は、上述した図１に開示された平面形状に限定されない。着用者の股下の形状、及びショーツの形状に適合する形状であればよい。吸収性物品の平面形状は、長方形、楕円型、瓢箪型等とすることができる。
【００９１】
本実施形態では、第１屈曲部１０１，１０２、第２屈曲部２０１，２０２、主横断屈曲部１１１ｆ、１１１ｒ、及び副横断屈曲部１１２ｆ、１１２ｒは、圧搾加工により、吸収体３０の密度が高められた高圧搾領域ＷＨと、高圧搾領域ＷＨよりも密度が低い低圧搾領域ＷＬとが格子状に形成されると説明した。
【００９２】
しかし、第１屈曲部１０１，１０２、第２屈曲部２０１，２０２、主横断屈曲部１１１ｆ、１１１ｒ、及び副横断屈曲部１１２ｆ、１１２ｒに圧搾によって形成されるパターンは、格子状に限定されない。例えば、ドット状、波状、斜線状等が用いられる。低圧搾領域と高圧搾領域との形状を変更することによって、吸収性物品の長手方向或いは幅方向の剛性を変更することができる。従って、例えば、本実施形態に例示した吸収性物品よりも吸収体３０の坪量が多い吸収性物品に対しては、低圧搾領域がハシゴ状（斜線状）に形成される（すなわち、長手方向に連続した低圧搾領域が形成されていない）タイプにすることにより、長手方向の剛性が高くなりがちな吸収性物品の剛性を低下させることができる。
【００９３】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００９４】
１…吸収性物品、  １０…表面シート、  ２０…裏面シート、  ３０…吸収体、  ３１，３２…両側部、  ４１，４２…サイドシート、  ５１，５２…ギャザー、  ５１ｆ,５１ｒ…接合部、  ５１ｆｆ…端部  ５１ｒｆ…端部、  ５２ｆ,５２ｒ…接合部、  ６１，６２…ウィング部、  １０１，１０２…第１屈曲部、２０１，２０２…第２屈曲部、  １０１ａ，１０２ａ…中央幅広部  １０１ｂ，１０２ｂ…前方幅狭部、  １０１ｃ，１０２ｃ…後方幅狭部、  １０１ｄ，１０２ｄ…前方幅広部、  １０１ｅ,１０２ｅ…後方幅広部、  １１１ｆ，１１１ｒ…主横断屈曲部、  １１２ｆ，１１２ｒ…副横断屈曲部、  ＣＬ…中央線、  Ｆ…前方領域、  ＦＬ…仮想線、  Ｈ…大腿部、  Ｌ…長手方向、  Ｍ…中央領域、  Ｒ…後方領域、  ＲＬ…仮想線、  Ｓ…当接領域、  Ｗ…幅方向、  ＷＨ…高圧搾領域、  ＷＬ…低圧搾領域
【図１】
2010246614.tif 000003
【図２】
2010246614.tif 000004
【図３】
2010246614.tif 000005
【図４】
2010246614.tif 000006
【図５】
2010246614.tif 000007
【図６】
2010246614.tif 000008